(57)【要約】【課題】霧化発生用振動子により液体を霧化する霧化発生装置において、霧化発生用振動子の表面に直接異物が付着して固化するのを防止し、霧化発生用振動子の動作に影響を与えて霧化量の著しい低下を生じたり、霧化発生用振動子が故障し動作しなくなるといった不具合が発生するのを防ぎ、汚れた洗浄水の中においても安定した霧化発生ができるようにする。【解決手段】霧発生用振動子１４と、前記霧発生用振動子１４の振動面側に設け液体１５を封入した容器１６とを備え、前記容器１６の霧発生用振動子１４と対向する面１７を薄膜に形成し、前記封入した液体１５と容器１６を介して前記容器１６外側の霧化用液体を霧化するよう構成し、前記容器１６の発振面以外の外側を金属製のめっき等で覆って水蒸気透過性を低くした。【選択図】図２
2006035008.tif 000002
【特許請求の範囲】
【請求項１】
霧発生用振動子と、前記霧発生用振動子の振動面側に設け液体を封入した容器とを備え、前記容器の霧発生用振動子と対向する面を薄膜に形成し、前記封入した液体と容器を介して前記容器外側の霧化用液体を霧化するよう構成し、前記容器の発振面以外の外側を金属製のめっき等で覆って水蒸気透過性を低くした霧発生装置。
【請求項２】
容器の発振面以外の外側を金属で被った請求項１記載の霧発生装置。
【請求項３】
容器の霧発生用振動子と対向する面の厚さを０．５ｍｍ以上とした請求項１または２記載の霧発生装置。
【請求項４】
請求項１〜３の何れかに記載の霧発生装置を備え、食器等の洗浄を行う洗浄水を霧化するようにしたことを特徴とする食器洗浄機。
【請求項５】
請求項１〜３の何れかに記載の霧発生装置を備え、洗濯用洗浄水を霧化するようにしたことを特徴とする洗濯機。
【発明の詳細な説明】
【技術分野】
【０００１】
本発明は、霧発生用振動子により液体を霧化する霧発生装置と、これを備えた食器洗浄機および洗濯機に関するものである。
【背景技術】
【０００２】
従来の一般的な食器洗浄機は、図７に示すように構成していた。以下、その構成について説明する。
【０００３】
図７に示すように、食器洗浄機本体１は、内部に洗浄槽２を設けており、この洗浄槽２内へ給水弁３により水または湯を供給するようにしている。洗浄槽２の底部には排水孔４を設け、この排水孔４に連通し、モータによって駆動される洗浄ポンプ５を取り付け、この洗浄ポンプ５により洗浄水を洗浄槽２の内部に循環するよう構成している。また、排水孔４には残さいを捕集する残さいフィルタ６を具備している。
【０００４】
上記構成において、洗浄槽２内に供給された洗浄水は、残さいフィルタ６を通過して洗浄ポンプ５に吸い込まれ、洗浄ポンプ５より洗浄槽２の内底部に設けた洗浄ノズル７に供給される。洗浄ノズル７から噴射された洗浄水は、被洗浄物（食器）８を洗浄した後、再び排水孔４に戻るという経路で循環する。この際、被洗浄物８から脱落した残さい等は、洗浄水とともに残さいフィルタ６に流入し、この残さいフィルタ６を通過できない大きさの残さいは残さいフィルタ６に捕集される。
【０００５】
また、洗浄ノズル７と洗浄槽２の底部との間には、洗浄水加熱用のヒータ９を装備し、洗浄ノズル７の上方には、被洗浄物８を整然と配置でき、洗浄水を効果的に被洗浄物８に噴射するように構成した食器かご１０を設置して効率的に洗浄を行っている。また、排水ポンプ１１は、排水ホースを通して洗浄水を機外に排出するものである。さらに、制御手段１２により、給水弁３や洗浄ポンプ５等の電装部品を駆動、制御している（例えば、特許文献１参照）。
【特許文献１】特開２００３−２１０３７８号公報
【発明の開示】
【発明が解決しようとする課題】
【０００６】
しかしながら、このような構成の食器洗浄機では、被洗浄物８に付着しているすべての汚れに対して確実に洗浄ができるとは限らないという限界があった。特に、直接加熱し焦げ付きのある調理を行う料理に対しては、苦手であった。例えば、グラタン、茶碗蒸し等のようなものである。
【０００７】
この問題に対する解決策として、通常使用時の洗剤濃度より高濃度の洗剤液を霧化して被洗浄物８に付着させて放置する前処理行程を実行することが考えられる。このような前処理行程を実施することにより、洗浄性能を大幅に向上することができ、従来ではとれなかった料理の汚れを洗浄できるようにすることができる。
【０００８】
ところが、高濃度の洗剤液を被洗浄物に付着させるために、例えば霧発生用の超音波振動子を備えた霧発生装置を使用した場合、食器洗浄機の洗浄水中に入っている食品の汚れや、井戸水などで硬度の高い硬水からの無機質成分の析出により、超音波振動子の振動面にそれらの異物が付着して固化し、超音波振動子の動作に影響を与え、霧化量の著しい低下を生じたり、ひどい場合には、超音波振動子そのものが故障し、動作しなくなるといった不具合が発生するという問題がある。
【０００９】
本発明は上記従来の課題を解決するもので、霧発生用振動子の表面に直接異物が付着して固化するのを防止し、霧発生用振動子の動作に影響を与えて霧化量の著しい低下を生じたり、霧発生用振動子が故障し動作しなくなるといった不具合が発生するのを防ぎ、汚れた洗浄水の中においても安定した霧発生ができる霧発生装置を提供することを第１の目的としている。
【００１０】
また、洗浄槽の中でも安定して高濃度の洗剤液を霧化でき、食品などの汚れの多い食器洗浄機においても洗浄性能を向上できる食器洗浄機を提供することを第２の目的としている。
【００１１】
また、洗濯用洗浄水を安定して霧化でき、高濃度の洗剤液を被洗浄物に付着させることによって、いろいろな汚れの多い洗濯においても洗浄性能を向上できる洗濯機を提供することを第３の目的とする。
【課題を解決するための手段】
【００１２】
上記第１の目的を達成するために、本発明の霧発生装置は、霧発生用振動子と、前記霧発生用振動子の振動面側に設け液体を封入した容器とを備え、前記容器の霧発生用振動子と対向する面を薄膜に形成し、前記封入した液体と容器を介して前記容器外側の霧化用液体を霧化するよう構成し、前記容器の発振面以外の外側を金属製のめっき等で覆って水蒸気透過性を低くするよう構成したものである。
【００１３】
これにより、霧発生用振動子の表面に直接異物が付着して固化することを防止することができ、霧発生用振動子の動作に影響を与えて霧化量の著しい低下を生じたり、霧発生用振動子が故障し動作しなくなるといった不具合が発生するのを防ぐことができ、汚れた霧化用液体の中においても安定した霧発生ができるようにすることができる。
【００１４】
また、容器の発振面以外の外側を金属で被ったことにより、長期使用においても容器内に封入した液体が容器を通して外部に透過する量を少なくすることができ封入液体を追加補充する必要がない。また超音波の吸収の少ない材料で構成しており、超音波自体で容器を溶解することなく、常に安定した霧化発生を行うことができる。
【００１５】
また、容器の霧発生用振動子と対向する面の厚さを０．５ｍｍ以上としたことにより、電気的絶縁を十分に確保することができるので、安定した霧化発生を行うことができる。
【００１６】
また、上記第２の目的を達成するために、本発明の食器洗浄機は、上記霧発生装置を備え、食器等の洗浄を行う洗浄水を霧化するようにしたものである。
【００１７】
これにより、食品などの汚れの多い洗浄槽内の洗浄水の中でも安定して動作して高濃度の洗剤液を霧化することができ、通常使用時の洗剤濃度より高濃度の洗剤液を満遍なく被洗浄物に付着させて放置する前処理行程を実行することができ、高濃度の洗剤の化学力によって洗浄性能を向上させることができる。
【００１８】
また、上記第３の目的を達成するために、本発明の洗濯機は、上記霧発生装置を備え、洗濯用洗浄水を霧化するようにしたものである。
【００１９】
これにより、いろいろな汚れの多い洗濯においても同様に、安定して洗濯用洗浄水を霧化することができ、高濃度の洗剤液を被洗浄物に付着させることにより、化学力によって洗浄性能を向上させることができる。
【発明の効果】
【００２０】
本発明の霧発生装置は、霧発生用振動子の表面に直接異物が付着して固化するのを防止することができ、霧発生用振動子の動作に影響を与えて霧化量の著しい低下を生じたり、霧発生用振動子が故障し動作しなくなるといった不具合が発生するのを防ぐことができ、汚れた霧化用液体の中においても安定した霧発生を行うことができる。
【発明を実施するための最良の形態】
【００２１】
第１の発明は、霧発生用振動子と、前記霧発生用振動子の振動面側に設け液体を封入した容器とを備え、前記容器の霧発生用振動子と対向する面を薄膜に形成し、前記封入した液体と容器を介して前記容器外側の霧化用液体を霧化するよう構成し、前記容器の発振面以外の外側を金属製のめっき等で覆って水蒸気透過性を低くしたことにより、前記容器の材料の特殊性をなくし、安価でかつ安定した霧化発生を行うことができる。
【００２２】
第２の発明は、上記第１の発明において、容器の発振面以外の外側を金属で被ったことにより、長期使用においても容器内に封入した液体が容器を通して外部に透過する量を少なくすることができ、封入液体を追加補充する必要がない。また超音波の吸収の少ない材料で構成しており、超音波自体で容器を溶解することなく、常に安定した霧化発生を行うことができる。
【００２３】
第３の発明は、上記第１または第２の発明において、容器の霧発生用振動子と対向する面の厚さを０．５ｍｍ以上としたことにより、電気的絶縁が確保するとともに安定した霧化発生を行うことができる。
【００２４】
第４の発明は、上記第１〜第３の発明の霧発生装置を備え、食器等の洗浄を行う洗浄水を霧化するようにした食器洗浄機で、食品などの汚れの多い洗浄槽内の洗浄水の中でも安定して動作して高濃度の洗剤液を霧化することができ、通常使用時の洗剤濃度より高濃度の洗剤液を満遍なく被洗浄物に付着させて放置する前処理行程を実行することができ、高濃度の洗剤の化学力によって洗浄性能を向上させることができる。
【００２５】
第５の発明は、上記第１〜第３の発明の霧発生装置を備え、洗濯用洗浄水を霧化するようにした洗濯機で、いろいろな汚れの多い洗濯においても同様に、安定して洗濯用洗浄水を霧化することができ、高濃度の洗剤液を被洗浄物に付着させることにより、化学力によって洗浄性能を向上させることができる。
【００２６】
以下、本発明の各実施の形態について、図面を参照しながら説明する。なお、以下の実施の形態によって本発明が限定されるものではない。
【００２７】
（実施の形態１）
以下、本発明の霧発生装置を食器洗浄機に適用した第１の実施形態について、図１、図２を参照して説明する。なお、食器洗浄機の全体構成は、図７を参照して説明した従来例と同一であり、同じ構成のものは同一符号を付して説明を省略する。
【００２８】
図１に示すように、霧発生装置１３は、洗浄槽２の前面下方に配置し、この霧発生装置１３は、図２に示すように、下面に超音波振動子（霧発生用振動子）１４を配置し、その振動面の上側に封入液体（液体）１５を封入した容器１６を一体的に接合した状態で配置し、封入液体１５と容器１６を介して、容器１６の超音波振動子１４に対向した面１７を薄膜に形成し、前記超音波振動子１４にて発振された超音波振動にて封入液体１５を介して前記面１７を振動させ、容器１６外側の霧化用液体（洗浄水）を霧化するよう構成している。
【００２９】
なお、封入液体１５は蒸留水とする。容器１６の形状は封入液体１５が容器１６を通して水蒸気透過して封入液体１５が減少しても面１７に封入液体１５が接するように、面１７より上にも封入液体１５が入るような形状となっている。
【００３０】
ここで、容器１６は水蒸気透過性が低く、かつ超音波の吸収の少ないよう、容器外側を金属めっき等で構成されている。また容器１６の超音波振動子１４に対向した面１７の厚さを０．５ｍｍ以上とし、さらに、超音波振動子１４に対向した面１７の上部に高濃度の洗剤液が生成されるように、面１７の近傍周囲に洗剤を載せる洗剤投入部１８が配設されている。
【００３１】
上記構成において動作、作用を説明する。本発明の霧発生装置１３においては、超音波振動子１４の上側に封入液体１５を封入した容器１６を配置しているので、超音波振動子１４は洗浄水と直接触れることはない。したがって、食器洗浄機を運転する場合においても、超音波振動子１４が非常に汚れた洗浄水と触れることがないので、食品がヘドロ状になって超音波振動子１４の振動面に付着し、固化するのを防ぐことができる。これにより、超音波振動子１４が故障することもなく、安定的に動作を続けることができる。
【００３２】
また、超音波振動子１４は、食器洗浄機のように非常に汚れた洗浄水を扱わなくても、井戸水などで非常に硬度が高い水を使用する場合においては、その無機質分が析出し、超音波振動子１４の振動面に付着してくる。したがって、単なる水を使用する場合においても、場合によっては、超音波振動子１４の表面に無機質分が付着、固化し、その動作に影響することがあるが、本発明の霧化発生装置１３を使用することにより、そのような現象を防ぐことができ、本来の目的の液体の霧化を安定的に長期間にわたって行うことができる。したがって、超音波振動子１４を利用して霧化を行う機器において非常に有効である。
【００３３】
また、超音波振動子１４に対向した面１７を薄膜に形成しているので、超音波の透過性が向上し、霧化用液体を効率よく霧化させることができ、洗浄性能を向上させることができる。また、超音波振動子１４に対向した面１７を薄膜に形成することにより、超音波の容器１６による吸収を低減することができ、面１７の超音波による溶解を防止することができる。
【００３４】
また、容器１６を、水蒸気透過性が低くかつ超音波の吸収の少ない金属めっき等で構成することにより、長期使用しても容器１６内に封入した封入液体１５が容器１６を通して外部に透過する量を少なくすることができ、封入液体１５を追加補充する必要がない。また、容器１６を、超音波の吸収の少ない金属めっき等で構成しており、超音波自体で容器１６を溶解することなく、常に安定した霧化発生を行うことができる。
【００３５】
また、容器１６の霧発生用振動子１４と対向する面１７の厚さを０．５ｍｍ以上とすることにより電気絶縁性が確保できる。
【００３６】
つぎに、本発明の食器洗浄機の動作について説明する。まず、洗剤投入部１８に所定量の洗剤を入れ、動作を開始すると、制御手段１２により給水弁３を開いて所定量の水量の洗浄水を給水する。このとき、制御手段１２は、洗剤投入部１８より上になるように給水水位を設定し、制御する。
【００３７】
洗剤投入部１８の内部に洗浄水が浸入し、洗剤の一部が洗浄水に溶ける。この時点において、超音波振動子１４を駆動すると、その振動が封入液体１５を伝播し、封入液体１５と容器１６を介して、超音波振動子１４に対向した面１７を振動させる。このとき、超音波振動子１４に対向した面１７の位置は、超音波振動子１４の振動振幅が最大になる位置に配置しておくと、超音波振動子１４に対向した面１７を大きく振動させることができる。
【００３８】
この振動により、さらに上面にある洗浄水を振動させて洗浄水を霧化し、同時に、洗剤投入部１８にセットした洗剤も溶かしながら、洗浄槽２内に高濃度の洗剤液を飛散させ、この高濃度の洗剤液を被洗浄物８に付着させることができる。超音波振動子１４に対向した面１７より上方に洗浄水がなくなると、当然ながら霧化の発生も止まり、高濃度の洗剤液も飛散しなくなるので、超音波振動子１４を駆動しているときは、制御手段１２により、必ず超音波振動子１４に対向した面１７より上方に洗浄水があるように給水弁３を制御する。
【００３９】
洗浄行程の前処理行程として、上述のように、霧発生装置１３より洗浄槽２内に高濃度の洗剤液を飛散させ、この高濃度の洗剤液を被洗浄物８に付着させ、その状態で放置することで、高濃度の洗剤液が被洗浄物８に付着している汚れを化学的に分解する。
【００４０】
前処理行程の後の本洗浄行程では、前処理行程で高濃度の洗剤液により特定の汚れを分解した後の汚れに対して、従来の食器洗浄機としての洗浄を行う。
【００４１】
被洗浄物８の汚れにおいては、温度や機械力（洗浄ノズル７からの洗浄水の噴射の勢い）が非常に効果的なものもある。また、前処理行程で分解をした汚れにおいてもそれだけで洗浄できるものではなく、同様に温度や機械力によって確実に洗浄できるようにする。しかしながら、この前処理行程での高濃度の洗剤液の付着後の放置による汚れの分解は、従来では取れなかった汚れの種類に対して非常に有効である。
【００４２】
以上のように、本実施の形態の霧発生装置においては、封入液体１５と容器１６を介して容器１６外側の洗浄水（霧化用液体）を霧化するよう構成したので、超音波振動子１４の表面に直接異物が付着して固化するのを防止することができ、超音波振動子１４の動作に影響を与えて霧化量の著しい低下を生じたり、超音波振動子１４が故障し動作しなくなるといった不具合が発生するのを防ぐことができ、汚れた洗浄水の中においても安定した霧化発生を行うことができる。
【００４３】
また、本実施の形態の食器洗浄機においては、上記霧発生装置１３を備え、食器等の洗浄を行う洗浄水を霧化するようにしたので、食品などの汚れの多い洗浄槽内の非常に汚れた洗浄水の中においても安定して高濃度の洗剤液を霧化することができ、霧発生装置１３により、通常使用時の洗剤濃度より高濃度の洗剤液を飛散させ、満遍なく被洗浄物８に付着させることができるので、高濃度の洗剤液を被洗浄物８に付着させて放置する前処理行程を実行することができ、被洗浄物８に付着させた高濃度の洗剤の化学力により、洗浄性能を大幅に向上することができるので、従来ではとれなかった料理の汚れを洗浄することができる。
また、超音波振動子１４に対向した面１７を薄膜に成形し、超音波の吸収の少ない材料で構成することにより、超音波自身で超音波振動子１４に対向した面１７を溶解させることはない。
【００４４】
なお、本実施の形態では、封入液体１５として蒸留水を使用しているが、他に塩水等振動を伝播できる液体ならば同様に使用できる。
【００４５】
（実施の形態２）
次に、本発明の第２の実施形態について、図３を参照して説明する。なお、以下の実施形態の説明においては、先行する実施形態と共通の構成要素については同一符号を付して説明を省略し、主として相違点についてのみ説明する。
【００４６】
本実施の形態では、図３に示すように、霧発生装置１３における容器１６の超音波振動子１４に対向した面１７に、凹部１９を形成して薄膜の部分を形成している。また、凹部１９は、封入液体１５を封入した面側に形成している。さらに、凹部１９は、容器１６を射出成形する時、樹脂注入後、超音波振動子１４と対向する面の一部を厚さ方向に圧縮することにより形成している。
【００４７】
この構成によれば、容器１６の超音波振動子１４に対向した面１７に凹部１９を形成することで薄膜部分を構成しているので、流動性の悪い樹脂材料で容器１６を形成しても、超音波振動が透過する部分をより薄く成形することができ、超音波の吸収の少なく、超音波自体で容器を溶解することなく、常に安定した霧化発生を行うことができる。
【００４８】
また、容器１６の超音波振動子１４に対向した面１７の封入液体１５に接する面側に凹部１９を設けることにより、容器１６の外側に凹部１９を設けることによっておこるカルキ等の異物の蓄積を防ぎ、常に安定した霧化発生を行うことができる。
【００４９】
また、容器１６の超音波振動子１４に対向した面１７に凹部１９を設けるため、容器１６を射出成形する時、樹脂注入後、超音波振動子１４と対向する面の一部を厚さ方向に圧縮することによって形成することで、流動性の悪い樹脂材料でも薄膜を成形でき、超音波の吸収が少なく、超音波自体で容器１６を溶解することなく、常に安定した霧化発生を行うことができる。
【００５０】
（実施の形態３）
次に、本発明の第３の実施形態について、図４を参照して説明する。
【００５１】
本実施の形態では、図４に示すように、霧発生装置１３における容器１６の超音波振動子１４に対向した面１７に開口部１６ａを形成し、その開口部１６ａをシート状の樹脂２０で気密的に覆って薄膜部を形成する。
【００５２】
この構成によれば、容器１６の超音波振動子１４に対向した面１７に開口部１６ａを形成し、その開口部１６ａをシート状の樹脂２０で気密的に覆って薄膜部を形成しているので、流動性の悪い樹脂で容器１６を成形しても、容器１６の超音波振動子１４に対向した面１７を超音波が透過しやす薄膜部を形成でき、かつその薄膜を超音波の吸収の少ないシート状の樹脂２０で構成することにより、超音波自体で容器１６を溶解することなく、常に安定した霧化発生を行うことができる。
【００５３】
（実施の形態４）
次に、本発明の霧発生装置を洗濯機に適用した第４の実施形態について、図５、図６を参照して説明する。
【００５４】
図５に示すように、霧発生装置２１は、洗濯機本体２２の内側に配置し、この霧発生装置２１は、図６に示すように、下面に超音波振動子（霧発生用振動子）２３を配置し、この超音波振動子２３の振動面の上側に封入液体（液体）２４を封入した容器２５を配置し、封入液体２４と容器２５を介して、容器２５の超音波振動子２３に対向した面２６を振動させ、容器２５外側の霧化用液体（洗浄水）を霧化するよう構成している。
【００５５】
さらに、超音波振動子２３に対向した面２６の上面に洗剤を投入する洗剤投入部２７を構成している。超音波振動子２３に対向した面２６は、その材質を振動しやすい樹脂とし、その形状は、傾斜面としている。なお、封入液体２４は蒸留水とする。
【００５６】
上記構成において動作、作用を説明する。まず、一般的な洗濯機の構成、動作について説明する。洗い行程では、内槽２８に衣類（洗濯物）を投入し運転を開始すると、給水弁２９を開いて所定の水位まで給水した後、モータ３０を駆動する。このとき、モータ３０の動力を洗濯軸を介して回転翼３１に伝達し、回転翼３１を回転させて衣類を水中で撹拌して洗濯し、その後、排水弁３２を開いて排水し、すすぎ行程で再度給水し、洗い行程と同様にして衣類をすすぐ。
【００５７】
脱水行程では、すすぎ終了後、排水弁３２を開いて内槽２８内の水を排水した後、モータ３０の動力を脱水軸を介して内槽２８に伝達して回転させ、衣類に遠心力を与えることにより、水分を衣類から分離することで脱水を行う。
【００５８】
以上の一般的な洗濯機の動作に対して、本実施の形態では、洗いの前処理行程を有する。
【００５９】
洗剤投入用蓋３３を開けて洗剤をあらかじめ投入し、洗剤投入用蓋３３を閉めた状態にする。内槽２８に衣類（洗濯物）を投入し運転を開始すると給水弁２９から洗剤投入部２７へ水道水（洗濯用洗浄水）を給水する。水道水が洗剤投入部２７にほぼ一杯になるように給水時間を設定する。ここで、多少、水道水が多くても洗剤投入部２７からオーバフローし、水位は一定になる。洗剤もこの時点で一部が溶け始めている。
【００６０】
この時点において、超音波振動子２３を駆動すると、その振動が封入液体２４を伝播し、封入液体２４と容器２５を介して、超音波振動子２３に対向した面２６を振動させる。このとき、超音波振動子２３に対向した面２６の位置は、超音波振動子２３の振動振幅が最大になる位置に配置しておくと、超音波振動子２３に対向した面２６を大きく振動させることができる。
【００６１】
この振動により、さらに上面にある洗濯用洗浄水を振動させて、洗浄水を霧化し、同時に、洗剤投入部２７にセットした洗剤を溶かしながら、洗濯用洗浄水に含まれて高濃度の洗剤液を飛散させる。
【００６２】
この霧化された洗剤を含んだ洗濯用洗浄水、いいかえれば、高濃度の洗剤液が内槽２８内に飛散し、ミスト状の高濃度の洗剤液が衣類に隅々にまで付着する。その状態で適当な時間放置することにより、高濃度の洗剤液が衣類等に付着している汚れを化学的に分解する。その後は、通常の洗いから脱水までを行う。
【００６３】
霧発生装置２１のその他の動作は実施の形態１と同じであるので説明は省略する。ただし、本実施の形態では、非常に汚れた洗浄水でなく、給水された水に対して霧化を行っている。しかし、上述したように、井戸水などで非常に硬度が高い水を使用する場合においても、その無機質分が析出し、超音波振動子２３の振動面に付着してくる。したがって、この場合においても、本実施の形態の霧発生装置２１を使用することは有効で、本来の目的の液体の霧化を安定的に長期間にわたって行うことができる。
【００６４】
以上のように、本実施の形態の洗濯機においては、霧発生装置２１を備え、洗濯用洗浄水を霧化するようにしたので、洗濯用洗浄水の中においても安定した霧発生を行うことができ、霧発生装置２１により、通常使用時の洗剤濃度より高濃度の洗剤液を満遍なく洗濯物に付着させて放置する前処理行程を実行することができ、洗濯物に付着させた高濃度の洗剤の化学力により、洗浄性能を大幅に向上することができる。
【００６５】
なお、本実施の形態では、霧発生装置２１を洗濯機本体２２の内側に配置し、洗剤投入部２７へ給水弁２９から給水するようにしているが、霧発生装置２１を内槽２８を内包する外槽３４内に配置し、外槽３４内の洗濯用洗浄水を洗剤投入部２７へ入れて、高濃度の洗剤液を作り、この高濃度の洗剤液を霧化し、内槽２８内に飛散させて衣類に付着させるよう構成してもよく、同様の作用、効果を得ることができる。
【産業上の利用可能性】
【００６６】
以上のように、本発明にかかる霧発生装置は、霧発生用振動子の表面に直接異物が付着して固化するのを防止することができ、霧発生用振動子の動作に影響を与えて霧化量の著しい低下を生じたり、霧発生用振動子が故障し動作しなくなるといった不具合が発生するのを防ぐことができ、汚れた霧化用液体の中においても安定した霧発生を行うことができるので、食器洗浄機や洗濯機等に好適に適用でき、その洗浄性能を大幅に向上することができる。
【図面の簡単な説明】
【００６７】
【図１】本発明の実施の形態１の食器洗浄機の断面図
【図２】同食器洗浄機の霧発生装置の縦断面図
【図３】本発明の実施の形態２における食器洗浄機の霧発生装置の縦断面図
【図４】本発明の実施の形態３における食器洗浄機の霧発生装置の縦断面図
【図５】本発明の実施の形態４の洗濯機の断面図
【図６】同洗濯機の要部拡大断面図
【図７】従来の食器洗浄機の縦断面図
【符号の説明】
【００６８】
１  食器洗浄機本体
２  洗浄槽
８  被洗浄物（食器）
１３  霧発生装置
１４  超音波振動子（霧発生用振動子）
１５  封入液体（液体）
１６  容器
１６ａ  開口部
１７  面
１９  凹部
２０  シート状樹脂
２１  霧発生装置
２２  洗濯機本体
２３  超音波振動子（霧発生用振動子）
２４  封入液体
２５  容器
２６  面
【図１】
2006035008.tif 000003
【図２】
2006035008.tif 000004
【図３】
2006035008.tif 000005
【図４】
2006035008.tif 000006
【図５】
2006035008.tif 000007
【図６】
2006035008.tif 000008
【図７】
2006035008.tif 000009